(57)【特許請求の範囲】
【請求項１】
マトリクス状に配列された３原色からなる複数の表示画素と、該複数の表示画素に接続される複数のデータ線と、複数の走査線と、を備える表示パネルに対して、外部入力される表示信号に応じた表示信号電圧を、前記表示パネルの各データ線に印加して、当該表示パネルの駆動を制御する表示駆動装置において、
前記表示パネルの各データ線に直接、前記表示信号電圧の最大電圧又は最小電圧を印加する直接印加手段を備え、
前記表示パネルの走査ライン毎に、前記各表示画素を前記表示信号の階調値に応じて駆動するノーマル表示モードとするか、前記各表示画素を表示状態又は非表示状態の何れかに設定して前記３原色の組み合わせによる８色表示を行う省電力表示モードとするかを制御し、
前記省電力表示モードにおいては、前記直接印加手段により、前記各データ線に前記最大電圧又は前記最小電圧を印加して前記各表示画素を２値駆動し、
前記ノーマル表示モードにおいては、前記直接印加手段により、前記各データ線をプリチャージ又はディスチャージすることを特徴とする表示駆動装置。
【請求項２】
前記表示駆動装置は、前記データ線毎に、当該データ線を表示信号の最大電圧電源に接続する第１の接続手段と、表示信号の最小電圧電源に接続する第２の接続手段と、を備え、
前記直接印加手段は、前記第１の接続手段と前記第２の接続手段を制御することにより、前記各データ線に最大又は最小の表示信号電圧を印加することを特徴とする請求項１記載の表示駆動装置。
【請求項３】
前記表示駆動装置は、前記省電力表示モードにおいて、前記３原色の表示画素の各々を表示状態又は非表示状態の何れかに設定するための単色表示制御信号を生成し、
前記直接印加手段は、前記単色表示制御信号に基づいて、前記表示パネルの前記複数のデータ線の内、同一色の前記表示画素に接続される複数のデータ線に対応する前記第１の接続手段と前記第２の接続手段とを共通に制御し、前記単色表示制御信号に対応する同一色の前記表示画素を表示状態又は非表示状態の何れかに設定することを特徴とする請求項２記載の表示駆動装置。
【請求項４】
前記直接印加手段は、前記省電力表示モードにおいて、前記表示信号に基づく３原色のデジタルデータ毎の最上位ビットの値に基づいて、前記デジタルデータに対応する前記表示パネルの前記各データ線に備える前記第１の接続手段と前記第２の接続手段を制御することを特徴とする請求項２記載の表示駆動装置。
【請求項５】
マトリクス状に配列された３原色からなる複数の表示画素と、該複数の表示画素に接続される複数のデータ線と、複数の走査線と、を備える表示パネルに対する表示駆動装置の駆動制御方法であって、
前記表示パネルの各データ線に直接、表示信号の最大電圧又は最小電圧を印加する直接印加手段を備え、
前記表示パネルの走査ライン毎に、前記各表示画素を前記表示信号の階調値に応じて駆動するノーマル表示モードおよび前記各表示画素を２値駆動する省電力表示モードの何れかに設定し、
前記省電力表示モードにおいては、前記直接印加手段により、前記各データ線に前記最大電圧又は前記最小電圧を印加して前記各表示画素を２値駆動し、
前記ノーマル表示モードにおいては、外部入力される表示信号に応じた表示信号電圧を前記各データ線に印加するとともに、前記直接印加手段により、前記各データ線をプリチャージ又はディスチャージすることを特徴とする駆動制御方法。
【請求項６】
前記省電力表示モードにおいて、前記３原色の表示画素の各々を表示状態又は非表示状態の何れか設定する単色表示制御信号に基づいて、前記表示パネルの前記複数のデータ線の内、同一色の表示画素に接続される複数のデータ線に対応する前記直接印加手段を、共通に駆動制御する手順を含むことを特徴とする請求項５記載の駆動制御方法。
【請求項７】
前記省電力表示モードにおいて、前記表示信号に基づく３原色のデジタルデータ毎の最上位ビットの値に基づいて、前記デジタルデータに対応する前記表示パネルの前記各データ線に対応する前記直接印加手段を駆動制御する手順を含むことを特徴とする請求項５記載の駆動制御方法。
【発明の詳細な説明】
【０００１】
【発明の属する技術分野】
本発明は、外部入力される表示信号に応じた表示信号電圧を、表示パネルの各データ線に印加して、当該表示パネルの駆動を制御する表示駆動装置、及びその表示駆動装置の駆動制御方法に関する。
【０００２】
【従来の技術】
従来、例えばアクティブマトリクス方式の液晶表示パネルのソースドライバにおいては、デジタル方式であれば、外部入力される表示信号のデータを一旦、データレジスタに溜め込み、そのデータをＤ／Ａ変換することにより所定の階調数の表示を行うためのアナログレベル（電位）に変換して、各データ線に印加するように構成されている。
【０００３】
【発明が解決しようとする課題】
しかしながら、このような表示パネルを組み込んだ装置においては、必ずしも常時フルカラーの表示を要求されるものではない。例えば、携帯電話では、待ち受け時に全画面をブルーバック等の単色にしたり、パーシャル表示（部分表示）にしたり、８色キャラクタ表示を行ったりして、表示消費電力を削減することが行われている。しかし、何れの表示モードにおいてもデータレジスタやＤ／Ａコンバータといった通常の表示経路を経て表示されるため、無駄な電力消費があり、消費電力を十分に低減させることができなかった。
【０００４】
本発明の課題は、表示駆動装置における無駄な電力消費を排して、その消費電力を削減する表示モードを備えた表示駆動装置及び駆動制御方法を提供することである。
【０００５】
【課題を解決するための手段】
以上の課題を解決するため、請求項１記載の発明は、マトリクス状に配列された３原色からなる複数の表示画素と、該複数の表示画素に接続される複数のデータ線と、複数の走査線と、を備える表示パネルに対して、外部入力される表示信号に応じた表示信号電圧を、前記表示パネルの各データ線に印加して、当該表示パネルの駆動を制御する表示駆動装置において、前記表示パネルの各データ線に直接、前記表示信号電圧の最大電圧又は最小電圧を印加する直接印加手段を備え、前記表示パネルの走査ライン毎に、前記各表示画素を前記表示信号の階調値に応じて駆動するノーマル表示モードとするか、前記各表示画素を表示状態又は非表示状態の何れかに設定して前記３原色の組み合わせによる８色表示を行う省電力表示モードとするかを制御し、前記省電力表示モードにおいては、前記直接印加手段により、前記各データ線に前記最大電圧又は前記最小電圧を印加して前記各表示画素を２値駆動し、前記ノーマル表示モードにおいては、前記直接印加手段により、前記各データ線をプリチャージ又はディスチャージすることを特徴としている。
【０００６】
この請求項１記載の発明によれば、省電力表示モードにおいては、直接印加手段が直接、表示信号の最大電圧又は最小電圧を各データ線に印加する。したがって、省電力表示モードにおいては、表示信号が外部入力されてから、各データ線に表示信号電圧を出力するまでに係る回路素子の動作が原則不要となる。このため、これらの回路素子の動作を停止させて、それらによる消費電力を削減することができ、表示駆動装置全体の消費電力を削減することができる。また、走査ライン毎に、ノーマル表示モードとするか省電力表示モードとするかを制御しているため、例えば、１つの画面の内、部分的に直接印加手段による制御を行うといったことが可能となる。更に、プリチャージやディスチャージを行う機構を有する場合には、このプリチャージ及びディスチャージを行う機構を直接印加手段として利用することができて、新たな構成を付加することなく省電力表示モードを実現することができる。
【０００７】
尚、省電力表示モードは、例えば携帯電話における待ち受け時や、パーソナルコンピュータにおける所定時間経過後の入力待ち時に設定される。直接印加手段を起動させるため、この省電力表示モードの開始を示す指示信号を外部入力することとしてもよい。
【０００８】
また、請求項２記載の発明は、請求項１記載の表示駆動装置において、
前記表示駆動装置は、前記データ線毎に、当該データ線を表示信号の最大電圧電源に接続する第１の接続手段と、表示信号の最小電圧電源に接続する第２の接続手段と、を備え、
前記直接印加手段は、前記第１の接続手段と前記第２の接続手段を制御することにより、前記各データ線に最大又は最小の表示信号電圧を印加することを特徴としている。
【０００９】
この請求項２記載の発明によれば、直接印加手段は、データ線への表示信号の最大電圧又は最小電圧の印加を、各データ線毎に設けられた第１の接続手段と第２の接続手段の切り替えという、比較的単純な制御によって実現することができる。
【００１０】
また、表示信号の最大電圧電源および表示信号の最小電圧電源は、表示駆動装置に具備されている従来の電源を利用することができる。即ち、例えば、デジタル方式の液晶表示パネルにおいては、所定の最大電圧と最小電圧間の電位差を分圧した電圧が、データ線に印加されるのが一般的であり、内部的に最大電圧電源および最小電圧電源を有している（これらの電源を生成する場合を含む。）のが通常である。また、プリチャージやディスチャージを行う機構を有する場合には、このプリチャージ及びディスチャージ用の電源を有している（これらの電源を生成する場合を含む。）のが通常である。こういった場合には、これらの従来の電源を利用することで、表示信号最大電圧電源および表示信号最小電圧電源とすることができる。
【００１１】
また、請求項３記載の発明のように、前記表示駆動装置は、前記省電力表示モードにおいて、前記３原色の表示画素の各々を表示状態又は非表示状態の何れかに設定するための単色表示制御信号を生成し、請求項２記載の表示駆動装置における直接印加手段が、前記単色表示制御信号に基づいて、前記表示パネルの前記複数のデータ線の内、同一色の前記表示画素に接続される複数のデータ線に対応する前記第１の接続手段と前記第２の接続手段とを共通に制御し、前記単色表示制御信号に対応する同一色の表示画素を表示状態又は非表示状態の何れかに設定するように構成してもよい。
【００１２】
この請求項３記載の発明によれば、例えば、表示パネルにＲ（赤）を表示させる単色表示制御信号を生成して、この単色表示制御信号に基づいて、各色毎の表示画素に接続される複数のデータ線に対応する各接続手段を一括的に制御して、Ｒの表示画素を表示状態に設定することができるため、表示駆動装置の消費電力を削減するという効果に加えて、直接印加手段に係る回路構成を簡単化することができる。
【００１３】
また、請求項４記載の発明のように、請求項２記載の表示駆動装置における直接印加手段が、前記省電力表示モードにおいて、前記表示信号に基づく３原色のデジタルデータ毎の最上位ビットの値に基づいて、前記デジタルデータに対応する前記表示パネルの前記各データ線に備える前記第１の接続手段と前記第２の接続手段を制御するように構成してもよい。
【００１４】
この請求項４記載の発明によれば、表示駆動装置の消費電力を削減するという効果に加えて、外部入力される表示信号に基づく３原色のデジタルデータ毎の最上位ビットの値に従った減色表示を実現することができる。
【００１７】
また、請求項５記載の発明は、マトリクス状に配列された３原色からなる複数の表示画素と、該複数の表示画素に接続される複数のデータ線と、複数の走査線と、を備える表示パネルに対する表示駆動装置の駆動制御方法であって、前記表示パネルの各データ線に直接、表示信号の最大電圧又は最小電圧を印加する直接印加手段を備え、前記表示パネルの走査ライン毎に、前記各表示画素を前記表示信号の階調値に応じて駆動するノーマル表示モードおよび前記各表示画素を２値駆動する省電力表示モードの何れかに設定し、前記省電力表示モードにおいては、前記直接印加手段により、前記各データ線に前記最大電圧又は前記最小電圧を印加して前記各表示画素を２値駆動し、前記ノーマル表示モードにおいては、外部入力される表示信号に応じた表示信号電圧を前記各データ線に印加するとともに、前記直接印加手段により、前記各データ線をプリチャージ又はディスチャージすることを特徴としている。
【００１８】
この請求項５記載の発明によれば、ノーマル表示モードにおいては、表示信号が外部入力されてから、各データ線に表示信号電圧を出力するという通常の信号経路を通じた表示が行われるが、省電力表示モードにおいては、直接印加手段により、表示信号の最大電圧又は最小電圧を各データ線に印加する。このため、フルカラーの表示（各画素の各階調に応じた表示）をする必要があるときには、ノーマル表示モードによる駆動制御を行い、フルカラーで表示する必要のないとき（例えば、待ち受け時など）には、省電力表示モードによる駆動制御を行うようにすることができ、更に、ノーマル表示モードにおける各データ線のプリチャージ又はディスチャージを、直接印加手段を用いて行うことができる。
【００１９】
そして、省電力表示モードにおいては、通常の信号経路に係る回路素子の駆動が原則不要となる。このため、省電力表示モードにおいて、表示駆動装置における無駄な電力消費を削減することができる。
【００２０】
また、請求項６記載の発明のように、請求項５記載の駆動制御方法における前記省電力表示モードにおいて、前記３原色の表示画素の各々を表示状態又は非表示状態の何れかを設定する単色表示制御信号に基づいて、前記表示パネルの前記複数のデータ線の内、同一色の表示画素に接続される複数のデータ線に対応する前記直接印加手段を、共通に駆動制御する手順を含むこととしてもよい。
【００２１】
この請求項６記載の発明によれば、省電力表示モードにおいて、例えば、表示パネルにＲ（赤）を表示させる単色表示制御信号に基づいて、各色毎の表示画素に接続される複数のデータ線への表示信号電圧の印加を一括的に制御することができるため、表示駆動装置の消費電力を削減するという効果に加えて、駆動制御を簡単化することができる。
【００２２】
また、請求項７記載の発明のように、請求項５記載の駆動制御方法における前記省電力表示モードにおいて、前記表示信号に基づく３原色のデジタルデータ毎の最上位ビットの値に基づいて、前記デジタルデータに対応する前記表示パネルの前記各データ線に対応する前記直接印加手段を駆動制御する手順を含むこととしてもよい。
【００２３】
この請求項７記載の発明によれば、第２の手順において、表示装置の消費電力を削減するという効果に加えて、外部入力される表示信号に基づく３原色のデジタルデータ毎の最上位ビットの値に従った、減色表示が可能となる。
【００２６】
【発明の実施の形態】
以下、図１〜図１５を参照して本発明を適用した液晶駆動装置の、実施の形態を詳細に説明する。尚、各実施の形態における液晶駆動装置の内部構成の簡明化の為、図面及び以下説明においては、Ｒ、Ｇ、Ｂの３つの色素（画素）に対応する信号ライン３つ分の構成のみを示して説明するが、実際には、液晶表示パネル２００の信号ラインＤＬと同数の構成要素が存在する。
【００２７】
〔第１の実施の形態〕
図１は、液晶表示パネル２００に接続された、本発明を適用した液晶駆動装置１１０の回路構成を示す図である。同図に示すように、液晶駆動装置１１０は、ソースドライバ１、ゲートドライバ２およびＲＡＭ３を備える。ここで、ソースドライバ１がデジタル方式にて構成されている場合について説明する。
【００２８】
この液晶駆動装置１１０は、液晶表示パネル２００の全面にフルカラー表示をするノーマル表示モードと、液晶表示パネル２００の全面を、後述する８色のうちの何れかの色で単色表示する省電力表示モードと、を備えているものである。
【００２９】
ソースドライバ１は、データレジスタ１１、Ｄ／Ａコンバータ１２および出力バッファ１３を備える。ここで、データレジスタ１１には６ビットの表示データが印加されるものとする。データレジスタ１１は、ラッチ動作制御信号ＳＴＢの印加に従ってＲＡＭ３からＲＧＢの表示データとして、各６ビットの信号ＤＲ０’〜ＤＲ５’、ＤＧ０’〜ＤＧ５’、ＤＢ０’〜ＤＢ５’を取り込んで保持すると共に、デジタル表示データとしてＤＲ０〜ＤＲ５、ＤＧ０〜ＤＧ５、ＤＢ０〜ＤＢ５をＤ／Ａコンバータ１２に出力する。ここで、ＤＲ０〜ＤＲ５は赤の階調データ、ＤＧ０〜ＤＧ５は緑の階調データ、ＤＢ０〜ＤＢ５は青の階調データを示す。
【００３０】
Ｄ／Ａコンバータ１２は、データレジスタ１１からデジタル表示データを取り込んでデコードし、表示データ値に対応する階調電圧値に変換した信号を表示データ信号ＡＲ、ＡＧおよびＡＢとして出力バッファ１３に出力する。
【００３１】
出力バッファ１３は、Ｄ／Ａコンバータ１２より表示データ信号ＡＲ、ＡＧおよびＡＢが入力され、イネーブル信号ＯＥ（以下、ＯＥ信号）の印加に従って、液晶表示パネル２００のデータ線ＤＬに表示データ信号を出力する。すなわち、出力バッファ１３は、オペアンプ１４１、１４２、１４３・・・（以下、包括的にオペアンプ１４と言う。）、ＯＥスイッチ１５１、１５２、１５３・・・（以下、包括的にＯＥスイッチ１５と言う。）およびプリチャージ／ディスチャージスイッチ１６１、１６２、１６３・・・（以下、包括的にプリチャージ／ディスチャージスイッチ１６と言う。）を備え、オペアンプ１４１、ＯＥスイッチ１５１、プリチャージ／ディスチャージスイッチ１６１は液晶表示パネル２００のＲの画素に対応する信号ラインＤＬに接続され、オペアンプ１４２、ＯＥスイッチ１５２、プリチャージ／ディスチャージスイッチ１６２は液晶表示パネル２００のＧの画素に対応する信号ラインＤＬに接続され、オペアンプ１４３、ＯＥスイッチ１５３、プリチャージ／ディスチャージスイッチ１６３は液晶表示パネル２００のＢの画素に対応する信号ラインＤＬに接続される。
【００３２】
オペアンプ１４は、Ｄ／Ａコンバータ１２より表示データ信号ＡＲ、ＡＧおよびＡＢがそれぞれ入力されてて増幅して出力する。ＯＥスイッチ１５はＯＥ信号に従ってオン／オフし、ＯＥスイッチ１５がオン状態の時、オペアンプ１４によって増幅された表示データ信号が液晶表示パネル２００の各データ線ＤＬに出力される。
【００３３】
プリチャージ／ディスチャージスイッチ１６のＶＡには液晶印加電圧の最大電圧ＶLCDMAXが、ＶＢには液晶印加電圧の最小電圧ＶLCDMINがそれぞれ印加され、ノーマル表示モードにおけるプリチャージ／ディスチャージとしての機能に加え、省電力表示モードにおいて、データ線ＤＬに画面表示を行うための電圧を印加するために用いられる。ここで、ＶLCDMAXは図示しないオペアンプ１４の“Ｈｉ”レベル側の駆動電圧ＶSHより低い電圧であり、ＶLCDMINは図示しないオペアンプ１４の“Ｌｏｗ”レベル側の駆動電圧ＶSSより高い電圧である。なお、これらＶLCDMAXおよびＶLCDMINを供給する電源は、階調電圧設定用の電源として、従来より表示駆動装置に具備されているものである。各プリチャージ／ディスチャージスイッチ１６は、ＳＷＰ−Ｒ、ＳＷＰ−ＧおよびＳＷＰ−Ｂ（以下、包括的に「ＳＷＰ」と言う。）の、ＶＡの電圧を各データ線ＤＬに印加するためのスイッチと、ＳＷＮ−Ｒ、ＳＷＮ−ＧおよびＳＷＮ−Ｂ（以下、包括的に「ＳＷＮ」と言う。）の、ＶＢの電圧を各データ線ＤＬに印加するためのスイッチとを備える。この各プリチャージ／ディスチャージスイッチ１６は、省電力表示モードにおいては、後述するソースドライバ制御部１７より入力される単色表示制御信号ＢＲ、ＢＧおよびＢＢにより動作制御される。
【００３４】
ここで、プリチャージ／ディスチャージ機構について簡単に説明する。プリチャージ／ディスチャージ機構とは、ノーマル表示モードにおいて、水平走査期間毎にデータ線をプリチャージ又はディスチャージすることにより、画素への信号電圧の書き込みを速くすることを目的として行われる動作機構の１つであり、ソースドライバに組み込まれる公知技術の１つであり、従来より、ソースドライバに備えられている構成である。本発明の構成は、このプリチャージ／ディスチャージ機構を利用して、後述する単色表示、または減色表示を行うように構成したものである。
【００３５】
ソースドライバ制御部１７は、データレジスタ１１に印加するラッチ回路制御信号ＳＴＢ、出力バッファ１３に対するＯＥ信号、極性反転制御信号ＰＯＬ（以下、ＰＯＬ信号）、クリア信号ＣＬＲ（以下、ＣＬＲ信号）、単色表示制御信号ＢＲ、ＢＧおよびＢＢ等のソースドライバ１の各回路の動作制御信号を出力する。
【００３６】
ラッチ回路制御信号ＳＴＢは、データレジスタ１１に含まれるラッチ回路を制御するための信号である。
【００３７】
ＢＲ信号は、プリチャージ／ディスチャージスイッチ１６のうち、Ｒの画素に対応する信号ラインＤＬに接続される、ＳＷＰ−Ｒ、ＳＷＮ−Ｒのスイッチ１６１を、ＢＧ信号は、ＳＷＰ−Ｇ、ＳＷＮ−Ｇのスイッチ１６２を、ＢＢ信号は、Ｂの画素に対応する信号ラインＤＬに接続される、ＳＷＰ−Ｂ、ＳＷＮ−Ｂのスイッチ１６３をそれぞれ制御するための単色表示制御信号である。なお、詳細には示していないが、例えばＢＲ信号はＲの画素に対応する複数の信号ラインＤＬに対応する複数のスイッチ１６１を共通に制御するように構成され、ＢＧ信号、ＢＢ信号も同様に複数のスイッチ１６２、１６３を共通に制御するように構成されている。
【００３８】
ＰＯＬ信号は、図２の液晶画素２０１における共通電極電位ＶCOMの極性反転を制御して液晶を反転駆動するための信号であり、例えばライン反転駆動を行う場合、１水平走査期間毎に“０”と“１”に変化する。ここで、ＰＯＬ信号が“１”の時、ＶCOMは“Ｈｉ”レベルとなり、ＰＯＬ信号が“０”の時、ＶCOMは“Ｌｏｗ”レベルとなる。
【００３９】
ＣＬＲ信号は、ノーマル表示モードにおいては、プリチャージ／ディスチャージスイッチ１６の動作期間を設定する信号であり、ＣＬＲ信号が“１”の期間、プリチャージ／ディスチャージスイッチ１６が動作する。
【００４０】
液晶表示パネル２００は従来と同様のアクティブマトリクスＴＦＴ−ＬＣＤであり、詳細は示していないが、行方向に延伸された複数のゲート線ＧＬと列方向に延伸された複数のデータ線ＤＬを備えるとともに、ゲート線ＧＬとデータ線ＤＬの各交点近傍に図２に示す液晶画素２０１を備える。図２は、ＴＦＴ−ＬＣＤにおける液晶画素２０１の等価回路を示した図であり、ＴＦＴ２１のゲート電極Ｇがゲート線ＧＬに接続され、ソース電極Ｓがデータ線ＤＬに接続される。そして、ドレイン電極Ｄに接続された画素電極と、この画素電極に対向する対向電極２２に挟時された液晶からなる液晶画素容量ＣLCと、画素電極と補助容量電極２３に挟時された絶縁膜からなる補助容量ＣSによって構成され、共通電極ＶCOMは各画素の対向電極２２および補助容量電極２３に共通に接続される。ＴＦＴ２１がオン状態となったときに、画素電極にはＴＦＴを介してデータ線ＤＬの電圧が供給され、液晶容量ＣLCには共通電極ＶCOMに印加される電圧とデータ線ＤＬの電圧の差分の電圧が印加される。なお、液晶表示パネル２００はノーマリーホワイトモード、すなわち液晶に電圧を印加しない状態で透過状態となるように構成されているものとする。
【００４１】
ゲートドライバ２は、詳細は示していないが、シフトレジスタおよび出力バッファを備え、ゲート信号を液晶表示パネル２００の各ゲート線ＧＬに供給する。これにより、各ゲート線ＧＬに接続されたＴＦＴがＯＮ状態となり、更にソースドライバ１により各データ線ＤＬに供給される表示データ信号が液晶画素に供給されると画面表示動作が行われる。
【００４２】
ＲＡＭ３は、外部入力される液晶表示パネル２００の各画素に対応する表示データ（表示信号）を記憶する記憶領域であり、データレジスタ１１にこの一時記憶した表示データを出力する。
【００４３】
さて、本第１の実施の形態は、省電力表示モードにおいて、単色表示制御信号ＢＲ、ＢＧおよびＢＢを用いて液晶表示パネル２００の全画面を単色表示するものである。図３は、本第１の実施の形態における、省電力表示モードでのソースドライバ１の一例動作を示したタイミングチャート図である。ＰＯＬ信号は、１水平走査期間毎に“０”と“１”に変化し、出力バッファ１３に出力される。また、ＯＥ信号を“Ｌｏｗ”レベルとしてＯＥスイッチ１５を全てオフとする。
【００４４】
ここで、例えば、ＢＲ信号として“１”、ＢＧおよびＢＢ信号として“０”がそれぞれ対応するプリチャージ／ディスチャージスイッチ１６に出力される場合、各プリチャージ／ディスチャージスイッチ１６１、１６２、１６３はＢＲ、ＢＧ、ＢＢ信号、およびＰＯＬ信号に従って動作する。
【００４５】
即ち、プリチャージ／ディスチャージスイッチ１６１において、ＳＷＰ−ＲはＰＯＬ信号が“０”（ＶCOM“Ｌｏｗ”レベル）の時にオフ、ＰＯＬ信号が“１”（ＶCOM“Ｈｉ”レベル）の時にオンとなり、この時、Ｒ画素に対応するデータ線ＤＬに電圧ＶＡ（ＶLCDMAX）が印加される。またＳＷＮ−ＲはＰＯＬ信号が“０”（ＶCOM“Ｌｏｗ”レベル）の時にオンとなって、この時、Ｒ画素に対応するデータ線ＤＬに電圧ＶＢ（ＶLCDMIN）が印加され、ＰＯＬ信号が“１”（ＶCOM“Ｈｉ”レベル）の時はオフとなる。また、プリチャージ／ディスチャージスイッチ１６２および１６３においては、ＳＷＰ−Ｇ、ＳＷＰ−ＢはＰＯＬ信号が“０”の時にオンとなって、Ｇ、Ｂ画素に対応するデータ線ＤＬにＶＡ（ＶLCDMAX）が印加され、ＰＯＬ信号が“１”の時にオフとなる。ＳＷＮ−Ｇ、ＳＷＮ−Ｂは、また、ＰＯＬ信号が“０”の時にオフ、ＰＯＬ信号が“１”の時にオンとなってＶＢ（ＶLCDMIN）が印加される。これにより、Ｒ画素に対応するデータ線ＤＬに接続される画素の液晶容量ＣLCに印加される電圧は最小となってＲ画素は透過状態となり、Ｇ、Ｂ画素に対応するデータ線ＤＬに接続される画素の液晶容量ＣLCに印加される電圧は最大となってＧ、Ｂ画素は遮光状態となり、全画面が赤色に表示される。
【００４６】
この時の各スイッチの動作は、各制御信号に対して次式で表される。
ＳＷＰ＿Ｒ＝￣（ＢＲ＾ＰＯＬ）
ＳＷＰ＿Ｇ＝￣（ＢＧ＾ＰＯＬ）
ＳＷＰ＿Ｂ＝￣（ＢＢ＾ＰＯＬ）
ＳＷＮ＿Ｒ＝（ＢＲ＾ＰＯＬ）
ＳＷＮ＿Ｇ＝（ＢＧ＾ＰＯＬ）
ＳＷＮ＿Ｂ＝（ＢＢ＾ＰＯＬ）
但し記号￣は反転を意味し、記号＾は排他的論理和を意味する。
【００４７】
また前述したように、ノーマル表示モードにおいては、通常、ＣＬＲ信号がプリチャージ／ディスチャージスイッチ１６の各スイッチの動作制御に用いられており、この構成を利用する場合、省電力表示モードにおけるプリチャージ／ディスチャージスイッチ１６の各スイッチの動作制御においても、ＣＬＲ信号を用いるようにしてもよい。この場合、各スイッチの動作は、各制御信号に対して、次の式のような関係で表される。
ＳＷＰ＿Ｒ＝￣（ＢＲ＾ＰＯＬ）＊ＣＬＲ
ＳＷＰ＿Ｇ＝￣（ＢＧ＾ＰＯＬ）＊ＣＬＲ
ＳＷＰ＿Ｂ＝￣（ＢＢ＾ＰＯＬ）＊ＣＬＲ
ＳＷＮ＿Ｒ＝（ＢＲ＾ＰＯＬ）＊ＣＬＲ
ＳＷＮ＿Ｇ＝（ＢＧ＾ＰＯＬ）＊ＣＬＲ
ＳＷＮ＿Ｂ＝（ＢＢ＾ＰＯＬ）＊ＣＬＲ
【００４８】
但し記号＊は論理積を意味する。ＣＬＲ信号は、ノーマル表示モードにおいては、水平走査期間の切り替わりタイミングの短い期間に印加されるパルス信号であるが、省電力表示モードにおいて、上記のように各スイッチの制御に用いる場合には、必要な表示期間において“１”となるようにタイミングを変更制御する。
【００４９】
図４は、図３で示したタイミングチャート図の動作を行った時の液晶表示パネル２００の表示状態を示した図である。図３では、一例として、単色表示制御信号ＢＲを“１”、ＢＧ、ＢＢを“０”としたことにより、Ｒ画素のみが表示されるため、液晶表示パネル２００には全面に赤色が表示される場合としたが、ＢＲ、ＢＧおよびＢＢ信号の出力値の組み合わせによって、表示色は赤、緑、青の３色の合成による８色から選択できる。
【００５０】
以上のように、本第１の実施の形態によれば、省電力表示モードにおいて、液晶表示パネル２００に対して全画面に単色表示を行う場合、全てのプリチャージ／ディスチャージスイッチ１６を、ＢＲ、ＢＧおよびＢＢ信号によって一括して制御する。これにより、プリチャージ／ディスチャージスイッチ１６に印加されているＶＡおよびＶＢが表示データ信号としてデータ線ＤＬに出力されるため、データレジスタ１１、Ｄ／Ａコンバータ１２およびオペアンプ１４を用いないで表示することができる。それ故、単色表示モード期間中、これらデータレジスタ１１、Ｄ／Ａコンバータ１２、オペアンプ１４への電力供給を停止して、その動作を全て停止させることができ、これらによる消費電力を削減して、液晶駆動装置１１０の消費電力を低減させることができる。
【００５１】
〔第２の実施の形態〕
図５は、第２の実施の形態における液晶駆動装置１２０の回路構成を示す図である。概略構成は第１の実施の形態における液晶駆動装置１１０と同様であるため、第１の実施の形態と同等の構成については、同一の符号を付して、その説明を簡略化または省略し、異なる部分を中心に説明する。
【００５２】
主に異なる部分は、省電力表示モードにおいて、出力バッファ１３に対して、データレジスタ１１から出力されるデジタル表示データのＭＳＢ（Most Significant Bit：最上位ビット）、即ち、ＤＲ５、ＤＧ５およびＤＢ５がＤＲ、ＤＧおよびＤＢ信号として入力され、対応するプリチャージ／ディスチャージスイッチ１６の動作制御信号として用いられる点である。これにより、液晶表示パネル２００の全画面を減色（８色）表示する。
【００５３】
図６は、第２の実施の形態におけるソースドライバ１の一例動作を示したタイミングチャート図である。ＰＯＬ信号は、１水平走査期間毎に“０”と“１”に変化し、出力バッファ１３に出力される。また、ＯＥ信号を“Ｌｏｗ”レベルとしてＯＥスイッチ１５を全てオフとする。
【００５４】
そして、例えば、ＤＲおよびＤＧ信号として“１”、ＤＢ信号として“０”が出力バッファ１３に入力される場合、プリチャージ／ディスチャージスイッチ１６１、１６２、１６３はＤＲ、ＤＧ、ＤＢ信号、およびＰＯＬ信号に従って動作する。
【００５５】
即ち、プリチャージ／ディスチャージスイッチ１６１および１６２において、ＳＷＰ−ＲおよびＳＷＰ−ＧはＰＯＬ信号が“０”の時にオフ、ＰＯＬ信号が“１”の時にオンとなって、この時それぞれＲ画素およびＧ画素に対応するデータ線ＤＬに電圧ＶＡが印加される。またＳＷＮ−ＲおよびＳＷＮ−ＧはＰＯＬ信号が“０”の時にオンとなって、Ｒ画素およびＧ画素に対応するデータ線に電圧ＶＢに印加され、ＰＯＬ信号が“１”の時はオフとなる。また、ＳＷＰ−ＢはＰＯＬ信号が“０”の時にオンとなって、Ｂ画素に対応するデータ線ＤＬにＶＡが印加され、ＰＯＬ信号が“１”の時にオフとなる。ＳＷＮ−Ｂは、ＰＯＬ信号が“０”の時にオフ、ＰＯＬ信号が“１”の時にオンとなってＶＢが印加される。これにより、Ｒ画素およびＧ画素が表示状態となり、Ｂ画素は非表示状態になり、全画面が黄色に表示される。
【００５６】
この時の各スイッチの動作は、各制御信号に対して次式で表される。
ＳＷＰ＿Ｒ＝￣（ＤＲ５＾ＰＯＬ）
ＳＷＰ＿Ｇ＝￣（ＤＧ５＾ＰＯＬ）
ＳＷＰ＿Ｂ＝￣（ＤＢ５＾ＰＯＬ）
ＳＷＮ＿Ｒ＝（ＤＲ５＾ＰＯＬ）
ＳＷＮ＿Ｇ＝（ＤＧ５＾ＰＯＬ）
ＳＷＮ＿Ｂ＝（ＤＢ５＾ＰＯＬ）
但し記号￣は反転を意味し、記号＾は排他的論理和を意味する。
【００５７】
また、第１の実施形態と同様に、上記各スイッチの制御にＣＬＲ信号を用いるようにしてもよい。この場合、次の式のようなスイッチ動作式によって、ＳＷＰおよびＳＷＮのオンの状態を調整することができる。
ＳＷＰ＿Ｒ＝￣（ＤＲ５＾ＰＯＬ）＊ＣＬＲ
ＳＷＰ＿Ｇ＝￣（ＤＧ５＾ＰＯＬ）＊ＣＬＲ
ＳＷＰ＿Ｂ＝￣（ＤＢ５＾ＰＯＬ）＊ＣＬＲ
ＳＷＮ＿Ｒ＝（ＤＲ５＾ＰＯＬ）＊ＣＬＲ
ＳＷＮ＿Ｇ＝（ＤＧ５＾ＰＯＬ）＊ＣＬＲ
ＳＷＮ＿Ｂ＝（ＤＢ５＾ＰＯＬ）＊ＣＬＲ
但し記号＊は論理積を意味する。
【００５８】
図７は、図６で示したタイミングチャート図の動作を行った時の液晶表示パネル２００の表示状態を示した図である。図６では、一例として、デジタル表示データのＭＳＢ、即ち、ＤＲ５、ＤＧ５を“１”、ＤＢ５を“０”としたことにより、Ｒ画素およびＧ画素が表示されて、液晶表示パネル２００は全面に黄色が表示される場合としたが、ＤＲ、ＤＧ、ＤＢ信号の出力値の組み合わせによって、表示色は赤、緑、青の３色の合成による８色から選択できる。また、本第２の実施の形態においては、前記第１の実施の形態と同様に、液晶表示パネル２００の各行に対しては一括して制御されるが、デジタル表示データのＭＳＢを用いるものであるため、図６では全面を同一色とした場合を示したが、行内の各画素に対する表示データを異ならせることにより、列毎の表示色を上記８色のうちから選択して設定することができる。
【００５９】
以上のように、本第２の実施の形態によれば、省電力表示モードにおいて、液晶表示パネル２００に対して全画面に減色表示を行う場合、全てのプリチャージ／ディスチャージスイッチ１６を、デジタル表示データのＭＳＢによって制御する。これにより、プリチャージ／ディスチャージスイッチ１６に印加されているＶＡおよびＶＢが表示データ信号としてデータ線ＤＬに出力されるため、ＭＳＢ以外のデータレジスタ１１、Ｄ／Ａコンバータ１２およびオペアンプ１４を用いないで表示することができる。それ故、ＭＳＢ以外のデータレジスタ１１、Ｄ／Ａコンバータ１２およびオペアンプ１４の動作を全て停止させることができ、これらによる消費電力を削減して、液晶駆動装置１１０の消費電力を低減させることができる。
【００６０】
また、ＤＲ、ＤＧおよびＤＢ信号は、従来より、通常表示（フルカラー表示）時におけるプリチャージ／ディスチャージスイッチ１６のオン／オフの判別動作の選択に用いられているため、本第２の実施の形態を実現するために新たに配線を施す必要はなく、既存の回路配線によって実現することができる。
【００６１】
〔第３の実施の形態〕
図８は、第３実施の形態における液晶駆動装置１３０の回路構成を示す図である。概略構成は第１の実施の形態における液晶駆動装置１１０と同様であるため、第１の実施の形態と同等の構成については、同一の符号を付して、その説明を簡略化または省略し、異なる部分を中心に説明する。
【００６２】
本第３の実施の形態の液晶駆動装置１３０は、ソースドライバ制御部１７から単色表示期間設定信号ＭＳＥＬ（以下、ＭＳＥＬ信号）が出力され、このＭＳＥＬ信号によって液晶表示パネル２００の行毎に単色／フルカラー表示制御を行うものである。
【００６３】
ソースドライバ制御部１７は、ＭＳＥＬ信号をデータレジスタ１１および出力バッファ１３に出力するとともに、ＣＬＲ信号を出力バッファ１３に出力する。
【００６４】
ＭＳＥＬ信号は、行毎に、単色表示を行うか否か、つまり省電力表示モードとするか、ノーマル表示モードにするか、を選択する信号であり、ＭＳＥＬ信号が“１”の時、省電力表示モードとなり、第１の実施形態と同様に、単色表示制御信号ＢＲ、ＢＧおよびＢＢに従って、プリチャージ／ディスチャージスイッチ１６がオン／オフし、ＶＡあるいはＶＢの電圧がデータ線ＤＬへ印加される。ＭＳＥＬ信号が“０”の時は、ノーマル表示モードとなり、データレジスタ１１から出力されるデジタル表示データに基づいた表示データ信号がデータ線ＤＬへ出力される。
【００６５】
ＣＬＲ信号は、前述のように、プリチャージ／ディスチャージスイッチ１６の動作期間を設定する信号であり、ＣＬＲ信号が“１”の時、設定されたプリチャージ／ディスチャージスイッチ１６が動作し、“０”の時は動作を停止する。
【００６６】
図９は、本第３の実施の形態におけるソースドライバ１の一例動作を示したタイミングチャート図である。ＰＯＬ信号は、１水平動作期間毎に“０”と“１”に変化し、出力バッファ１３に出力される。
【００６７】
そして、ＭＳＥＬ信号が“１”の時、ＢＲ、ＢＧ、ＢＢ信号およびＣＬＲ信号に基づいて動作するプリチャージ／ディスチャージスイッチ１６によってＶＡあるいはＶＢがデータ線ＤＬに印加される。一方、ＭＳＥＬ信号が“０”の時は、データレジスタ１１から出力されるデジタル表示データに基づいた表示データ信号が、Ｄ／Ａコンバータ１２およびオペアンプ１４を介してデータ線ＤＬへ出力される。即ち、ＭＳＥＬ信号が“１”の時にゲートドライバ２によって走査される行（走査ライン）は単色に表示され、ＭＳＥＬ信号が“０”の時に走査されている行（走査ライン）は通常のフルカラー表示が行われる。
【００６８】
例えば、図９のように、ＢＲ信号として“１”、ＢＧおよびＢＢ信号として“０”が対応するプリチャージ／ディスチャージスイッチ１６に入力される場合、水平走査期間ｔ３１およびｔ３２ではＭＳＥＬ信号が“１”であるため、ＰＯＬ信号およびＣＬＲ信号に従ってプリチャージ／ディスチャージスイッチ１６１、１６２、１６３が動作する。即ち、ＳＷＰ−Ｒは、ＰＯＬ信号が“０”且つＣＬＲ信号が“１”の期間はオフ、ＰＯＬ信号が“１”且つＣＬＲ信号が“１”の期間はオンとなり、この期間にＲ画素に対応するデータ線ＤＬに電圧ＶＡが印加される。また、ＳＷＮ−Ｒは、ＰＯＬ信号が“０”且つＣＬＲ信号が“１”の期間はオンとなり、この期間にＲ画素に対応するデータ線ＤＬに電圧ＶＢが印加され、ＰＯＬ信号が“１”且つＣＬＲ信号が“１”の期間はオフとなる。また、ＳＷＰ−Ｇ、ＳＷＰ−ＢはＰＯＬ信号が“０”且つＣＬＲ信号が“１”の期間にオンとなって、Ｇ、Ｂ画素に対応するデータ線ＤＬにＶＡが印加され、ＰＯＬ信号が“１”且つＣＬＲ信号が“１”の期間にオフとなる。ＳＷＮ−Ｇ、ＳＷＮ−Ｂは、ＰＯＬ信号が“０”の時にオフ、ＰＯＬ信号が“１”且つＣＬＲ信号が“１”の期間にオンとなって、Ｇ、Ｂ画素に対応するデータ線ＤＬにＶＢが印加される。これにより、ＭＳＥＬ信号が“１”且つＣＬＲ信号が“１”の期間においてＲ画素は表示状態、Ｇ画素およびＢ画素は非表示状態になり、対応する行が赤色に表示される。
【００６９】
続いて水平走査期間ｔ３３およびｔ３４では、ＭＳＥＬ信号が“０”であるため通常のフルカラー表示となる。従って、ＰＯＬ信号が“０”且つＣＬＲ信号が“１”の期間、例えば各ＳＷＰがオンとなりプリチャージ動作が行われ、ＰＯＬ信号が“１”且つＣＬＲ信号が“１”の期間、例えば各ＳＷＮがオンとなりディスチャージ動作が行われる。これにより、データ線ＤＬがプリチャージ／ディスチャージされた後、データレジスタ１１から出力されるデジタル表示データに基づいた表示データ信号がデータ線ＤＬに出力され、対応する行がフルカラー表示される。
【００７０】
尚、フルカラー表示時のプリチャージ／ディスチャージスイッチ１６の動作において、ＳＷＰとＳＷＮのどちらのスイッチをオン／オフするかは、表示データ信号の値によって判別される。このため、図９の水平走査期間ｔ３３およびｔ３４におけるＳＷＰおよびＳＷＮの動作は、あくまで一例である。
【００７１】
図９の動作時における、各スイッチの動作は、各制御信号に対して次式で表される。
ＳＷＰ＿Ｒ＝￣（ＢＲ＾ＰＯＬ）＊ＭＳＥＬ＊ＣＬＲ
ＳＷＰ＿Ｇ＝￣（ＢＧ＾ＰＯＬ）＊ＭＳＥＬ＊ＣＬＲ
ＳＷＰ＿Ｂ＝￣（ＢＢ＾ＰＯＬ）＊ＭＳＥＬ＊ＣＬＲ
ＳＷＮ＿Ｒ＝（ＢＲ＾ＰＯＬ）＊ＭＳＥＬ＊ＣＬＲ
ＳＷＮ＿Ｇ＝（ＢＧ＾ＰＯＬ）＊ＭＳＥＬ＊ＣＬＲ
ＳＷＮ＿Ｂ＝（ＢＢ＾ＰＯＬ）＊ＭＳＥＬ＊ＣＬＲ
但し記号￣は反転を意味し、記号＾は排他的論理和を意味し、記号＊は論理積を意味する。
【００７２】
図１０は、図９で示したタイミングチャート図の動作を行った時の液晶表示パネル２００の表示状態の一例を示した図である。エリア８１、８３および８５は省電力表示モードとして単色表示がなされ、エリア８２、８４はノーマル表示モードとしてフルカラー表示がなされている場合を示している。
【００７３】
即ち、エリア８１、８３および８５におけるゲート線ＧＬがゲートドライバ２によって選択された時、図９における水平走査期間ｔ３１およびｔ３２のように、ＭＳＥＬ信号が“１”に設定されて単色表示期間に設定されるため、エリア８１、８３および８５は、例えば赤色の単色表示となる。但し、その色は、ＢＲ、ＢＧおよびＢＢ信号の出力の組み合わせによって、表示色は赤、緑、青の３色の合成により８色から選択できる。
【００７４】
また、エリア８２および８４におけるゲート線ＧＬがゲートドライバ２によって選択された時、図９における水平走査期間ｔ３３およびｔ３４のように、ＭＳＥＬ信号が“０”に設定されてフルカラー表示期間に設定されるため、エリア８２および８４は通常のフルカラー表示となる。
【００７５】
以上のように、本第３の実施の形態によれば、液晶表示パネル２００に対して行（走査ライン；ゲート線ＧＬ）毎に単色／フルカラー表示を行う場合、ＭＳＥＬ信号によって単色表示期間とフルカラー表示期間を設定する。ＭＳＥＬ信号によって単色表示が設定されている期間は、ＢＲ、ＢＧおよびＢＢ信号と、ＣＬＲ信号とに基づいて、プリチャージ／ディスチャージスイッチ１６が動作される。一方、ＭＳＥＬ信号によってフルカラー表示が設定されている期間は、プリチャージ／ディスチャージスイッチ１６はデータ線ＤＬをプリチャージ／ディスチャージする通常の動作を行い、デジタル表示データに基づいた表示データ信号がデータ線ＤＬに出力される。
【００７６】
これにより、単色表示が設定されている期間においては、プリチャージ／ディスチャージスイッチ１６に印加されているＶＡおよびＶＢが表示データ信号としてデータ線ＤＬに出力されるため、当該期間において、データレジスタ１１、Ｄ／Ａコンバータ１２およびオペアンプ１４の動作を停止させることができ、これらによる消費電力を削減して、液晶駆動装置１１０の消費電力を低減させることができる。
【００７７】
〔第４の実施の形態〕
図１１は、第４の実施の形態における液晶駆動装置１４０の回路構成を示す図である。概略構成は第２の実施の形態における液晶駆動装置１２０と同様であるため、第２の実施の形態と同等の構成については、同一の符号を付して、その説明を簡略化または省略し、異なる部分を中心に説明する。
【００７８】
本第４の実施の形態の液晶駆動装置１４０は、ソースドライバ制御部１７から減色表示期間設定信号ＣＬ８Ａ（以下、ＣＬ８Ａ信号）が出力され、このＣＬ８Ａ信号によって液晶表示パネル２００の行毎に減色／フルカラー表示制御を行うものである。
【００７９】
ソースドライバ制御部１７は、減色表示期間設定信号ＣＬ８Ａ信号をデータレジスタ１１および出力バッファ１３に出力する。減色表示期間設定信号ＣＬ８Ａ信号は減色表示を行うか否か、つまり省電力表示モードとするか、ノーマル表示モードにするか、を選択する信号であり、ＣＬ８Ａ信号が“１”の時、省電力表示モードとなり、第２の実施形態と同様に、デジタル表示データのＭＳＢであるＤＲ、ＤＧおよびＤＢに従って、プリチャージ／ディスチャージスイッチ１６がオン／オフし、ＶＡあるいはＶＢの電圧がデータ線ＤＬへ印加される。ＣＬ８Ａ信号が“０”の時は、ノーマル表示モードとなり、データレジスタ１１から出力されるデジタル表示データに基づいた表示データ信号がデータ線ＤＬへ出力される。
【００８０】
また、第２の実施の形態と同様、出力バッファ１３に対して、データレジスタ１１から出力されるデジタル表示データのＭＳＢがＤＲ、ＤＧおよびＤＢ信号として入力される。
【００８１】
図１２は、第４の実施の形態におけるソースドライバ１の一例動作を示したタイミングチャート図である。ＰＯＬ信号は、１水平動作期間毎に“０”と“１”に変化し、出力バッファ１３に出力される。
【００８２】
そして、ＣＬ８Ａ信号が“１”の時、ＤＲ、ＤＧおよびＤＢ信号に基づいて動作するプリチャージ／ディスチャージスイッチ１６によってＶＡあるいはＶＢがデータ線ＤＬに印加される。一方、ＣＬ８Ａ信号が“０”の時は、データレジスタ１１から出力されるデジタル表示データに基づいた表示データ信号がデータ線ＤＬへ出力される。即ち、ＣＬ８Ａ信号が“１”の時にゲートドライバ２によって走査されている行は減色表示が行われ、ＣＬ８Ａ信号が“０”の時に走査されている行は通常のフルカラー表示が行われる。
【００８３】
例えば、図１２のように、ＤＲおよびＤＧ信号が“１”、ＤＢ信号が“０”の信号がそれぞれ対応するプリチャージ／ディスチャージスイッチ１６にそれぞれ入力される場合、水平走査期間ｔ４１およびｔ４２ではＣＬ８Ａ信号が“１”であるため、ＰＯＬ信号およびＣＬＲ信号に従ってプリチャージ／ディスチャージスイッチ１６１、１６２、１６３が動作する。即ち、ＳＷＰ−ＲおよびＳＷＰ−Ｇは、ＰＯＬ信号が“０” 且つＣＬＲ信号が“１”の期間はオフ、ＰＯＬ信号が“１”且つＣＬＲ信号が“１”の期間はオンとなり、この期間にＲ、Ｇ画素に対応するデータ線ＤＬに電圧ＶＡが印加される。また、ＳＷＮ−ＲおよびＳＷＮ―Ｇは、ＰＯＬ信号が“０”且つＣＬＲ信号が“１”の期間はオンとなり、この期間にＲ、Ｇ画素に対応するデータ線ＤＬに電圧ＶＢが印加され、ＰＯＬ信号が“１”且つＣＬＲ信号が“１”の期間はオフとなる。また、ＳＷＰ−ＢはＰＯＬ信号が“０”且つＣＬＲ信号が“１”の期間にオンとなって、Ｇ、Ｂ画素に対応するデータ線ＤＬにＶＡが印加され、ＰＯＬ信号が“１”且つＣＬＲ信号が“１”の期間にオフとなる。ＳＷＮ−Ｂは、ＰＯＬ信号が“０”且つＣＬＲ信号が“１”の期間にオフ、ＰＯＬ信号が“１”且つＣＬＲ信号が“１”の時にオンとなって、Ｂ画素に対応するデータ線ＤＬにＶＢが印加される。これにより、ＣＬ８Ａ信号が“１”且つＣＬＲ信号が“１”の期間においてＲ、Ｇ画素は表示状態、Ｂ画素は非表示状態になり、対応する行が黄色に表示される。
【００８４】
続いて水平走査期間ｔ４３およびｔ４４では、ＣＬ８Ａ信号が“０”であるため通常のフルカラー表示となる。従って、ＰＯＬ信号が“０”且つＣＬＲ信号が“１”の期間、例えばＳＷＰがオンとなりプリチャージ動作が青子なわれ、ＰＯＬ信号が“１”且つＣＬＲ信号が“１”の期間、ＳＷＮがオンとなりディスチャージ動作が行われる。これにより、データ線ＤＬがプリチャージ／ディスチャージされた後、データレジスタ１１から出力されるデジタル表示データに基づいた表示データ信号がデータ線ＤＬに出力され、対応する行がフルカラー表示される。
【００８５】
ここで、減色表示時は、液晶表示パネル２００の各画素に対応する記憶領域を持つＲＡＭ３からデジタル表示データのＭＳＢを読み出し、表示データ信号として各データ線ＤＬへ出力するため、ＤＲ、ＤＧおよびＤＢ信号の組み合わせによって各行の画素毎に８色のうちの何れかの色を設定することができる。これにより、液晶表示パネル２００の減色表示が行われているエリアに例えばキャラクタ等を表示させることができる。
【００８６】
尚、フルカラー表示時のプリチャージ／ディスチャージスイッチ１６の動作において、ＳＷＰとＳＷＮのどちらのスイッチをオン／オフするかは、表示データ信号の値によって判別される。このため、図１２の水平走査期間ｔ４３およびｔ４４におけるＳＷＰおよびＳＷＮの動作は、一例を示しているに過ぎないものである。
【００８７】
図１２の動作時における、各スイッチの動作は、各制御信号に対して次式で表される。
ＳＷＰ＿Ｒ＝￣（ＢＲ＾ＰＯＬ）＊ＣＬ８Ａ＊ＣＬＲ
ＳＷＰ＿Ｇ＝￣（ＢＧ＾ＰＯＬ）＊ＣＬ８Ａ＊ＣＬＲ
ＳＷＰ＿Ｂ＝￣（ＢＢ＾ＰＯＬ）＊ＣＬ８Ａ＊ＣＬＲ
ＳＷＮ＿Ｒ＝（ＢＲ＾ＰＯＬ）＊ＣＬ８Ａ＊ＣＬＲ
ＳＷＮ＿Ｇ＝（ＢＧ＾ＰＯＬ）＊ＣＬ８Ａ＊ＣＬＲ
ＳＷＮ＿Ｂ＝（ＢＢ＾ＰＯＬ）＊ＣＬ８Ａ＊ＣＬＲ
但し記号￣は反転を意味し、記号＾は排他的論理和を意味し、記号＊は論理積を意味する。
【００８８】
図１３は、図１２で示したタイミングチャート図の動作を行った時の液晶表示パネル２００の表示状態の一例を示した図である。エリア１０１および１０３は省電力表示モードとして減色表示がなされ、図形やキャラクタが表示された場合を示し、エリア１０２はノーマル表示モードとしてフルカラー表示がなされている場合を示している。
【００８９】
即ち、エリア１０１および１０３におけるゲート線ＧＬがゲートドライバ２によって選択された時、図１２における水平走査期間ｔ４１およびｔ４２のように、ＣＬ８Ａ信号が“１”に設定されて減色表示期間に設定されると、エリア１０１および１０３は、例えば黄色の減色表示となる。但し、減色表示の色は、ＢＲ、ＢＧおよびＢＢ信号の出力の組み合わせによって、赤、緑、青の３色の合成により８色から選択できる。また、行毎および画素毎に任意の色を設定できるため、キャラクタ等の表示が可能である。
【００９０】
またエリア１０２におけるゲート線ＧＬがゲートドライバ２によって選択された時、図１２における水平走査期間ｔ４３およびｔ４４のように、ＣＬ８Ａ信号が“０”に設定されてフルカラー表示期間に設定されると、エリア１０２は通常のフルカラー表示となる。
【００９１】
以上のように、本第４の実施の形態によれば、液晶表示パネル２００に対して行（走査ライン；ゲート線ＧＬ）毎に減色／フルカラー表示を行う場合、ＣＬ８Ａ信号によって減色表示期間とフルカラー表示期間を設定する。ＣＬ８Ａ信号によって減色表示が設定されている期間は、デジタル表示データのＭＳＢであるＤＲ、ＤＧおよびＤＢ信号とＣＬＲ信号に基づいて、プリチャージ／ディスチャージスイッチ１６が動作される。一方、ＣＬ８Ａ信号によってフルカラー表示が設定されている期間は、プリチャージ／ディスチャージスイッチ１６はデータ線ＤＬをプリチャージ／ディスチャージする通常の動作を行い、デジタル表示データに基づいた表示データ信号がデータ線ＤＬに出力される。
【００９２】
これにより、行（走査ライン）単位でプリチャージ／ディスチャージスイッチ１６に印加されているＶＡおよびＶＢが表示データ信号としてデータ線ＤＬに出力されるため、ＭＳＢ以外のデータレジスタ１１、Ｄ／Ａコンバータ１２およびオペアンプ１４の動作を停止させることができ、これらによる消費電力を削減して、消費電力を低減させることができる。
【００９３】
〔第５の実施の形態〕
第３および４の実施の形態の液晶駆動装置１３０、１４０は、ＭＳＥＬ信号あるいはＣＬ８Ａ信号によって液晶表示パネル２００の行毎に単色／フルカラー表示制御あるいは減色／フルカラー表示制御を行うものであったが、本第５の実施の形態の液晶駆動装置１５０は、ＭＳＥＬ信号およびＣＬ８Ａ信号の両信号を用いて、液晶表示パネル２００の行毎に単色／減色／フルカラー表示制御を行うものである。
【００９４】
図１４は、本第５の実施の形態における液晶駆動装置１５０の回路構成を示す図である。液晶駆動装置１５０は、第３および第４の実施の形態における液晶駆動装置１３０、１４０を組み合わせた回路構成となっている。第３、第４の実施の形態と同等の構成については、同一の符号を付して、その説明を簡略化または省略し、異なる部分を中心に説明する。
【００９５】
即ち、ソースドライバ制御部１７より、ＭＳＥＬ信号およびＣＬ８Ａ信号がデータレジスタ１１および出力バッファ１３にそれぞれ入力される。そして出力バッファ１３に対して、データレジスタ１１から出力されるデジタル表示データのＭＳＢがＤＲ、ＤＧおよびＤＢ信号として入力されるとともに、ソースドライバ制御部１７より単色表示制御信号ＢＲ、ＢＧおよびＢＢが入力される。したがって、第５の実施の形態における出力バッファ１３の動作は、図９および図１２のタイミングチャートを組み合わせた動作となる。即ち、ＭＳＥＬ信号が“１”に設定されて、単色表示に設定されている行における動作は図９に示すものとなり、ＣＬ８Ａ信号が“１”に設定されて、減色表示に設定されている行における動作は図１２に示すものとなる。
【００９６】
本実施の形態における、各スイッチの動作は、各制御信号に対して次式で表される。
ＳＷＰ＿Ｒ＝￣（ＢＲ＾ＰＯＬ）＊ＭＳＥＬ＊ＣＬＲ  ・・・単色表示時
ＳＷＰ＿Ｒ＝￣（ＢＲ＾ＰＯＬ）＊ＣＬ８Ａ＊ＣＬＲ  ・・・減色表示時
ＳＷＰ＿Ｇ＝￣（ＢＧ＾ＰＯＬ）＊ＭＳＥＬ＊ＣＬＲ  ・・・単色表示時
ＳＷＰ＿Ｇ＝￣（ＢＧ＾ＰＯＬ）＊ＣＬ８Ａ＊ＣＬＲ  ・・・減色表示時
ＳＷＰ＿Ｂ＝￣（ＢＢ＾ＰＯＬ）＊ＭＳＥＬ＊ＣＬＲ  ・・・単色表示時
ＳＷＰ＿Ｂ＝￣（ＢＢ＾ＰＯＬ）＊ＣＬ８Ａ＊ＣＬＲ  ・・・減色表示時
ＳＷＮ＿Ｒ＝（ＢＲ＾ＰＯＬ）＊ＭＳＥＬ＊ＣＬＲ    ・・・単色表示時
ＳＷＮ＿Ｒ＝（ＢＲ＾ＰＯＬ）＊ＣＬ８Ａ＊ＣＬＲ    ・・・減色表示時
ＳＷＮ＿Ｇ＝（ＢＧ＾ＰＯＬ）＊ＭＳＥＬ＊ＣＬＲ    ・・・単色表示時
ＳＷＮ＿Ｇ＝（ＢＧ＾ＰＯＬ）＊ＣＬ８Ａ＊ＣＬＲ    ・・・減色表示時
ＳＷＮ＿Ｂ＝（ＢＢ＾ＰＯＬ）＊ＭＳＥＬ＊ＣＬＲ    ・・・単色表示時
ＳＷＮ＿Ｂ＝（ＢＢ＾ＰＯＬ）＊ＣＬ８Ａ＊ＣＬＲ    ・・・減色表示時
但し記号￣は反転を意味し、記号＾は排他的論理和を意味し、記号＊は論理積を意味する。
【００９７】
図１５は、第５の実施の形態における液晶表示パネル２００の表示状態の一例を示した図である。エリア１１１、１１４および１１７は単色表示がなされ、エリア１１３および１１５は減色表示がなされてキャラクタが表示され、エリア１１２および１１６はフルカラー表示がなされている場合を示している。
【００９８】
即ち、エリア１１１、１１４および１１７におけるゲート線ＧＬがゲートドライバ２によって選択された時、ＭＳＥＬ信号を“１”に設定して単色表示期間に設定すると、エリア１１１、１１４および１１７は、ＢＲ、ＢＧおよびＢＢ信号の出力の組み合わせによる単色表示となる。また、エリア１１３および１１５におけるゲート線ＧＬがゲートドライバ２によって選択された時、ＣＬ８Ａ信号を“１”に設定して減色表示期間に設定すると、エリア１１３および１１５は、ＤＲ、ＤＧおよびＤＢ信号の組み合わせによる減色表示となる。尚、単色表示および減色表示の色は、Ｒ、Ｇ、Ｂの３色の組み合わせにより８色から選択でき、更に減色表示のエリアは画素毎に任意の色を設定できるため、キャラクタ等の表示が可能である。
【００９９】
そしてエリア１１２および１１６におけるゲート線ＧＬがゲートドライバ２によって選択されたとき、ＭＳＥＬ信号およびＣＬ８Ａ信号を“０”としてフルカラー表示期間に設定すると、エリア１１２および１１６は通常のフルカラー表示となる。
【０１００】
これにより、行（走査ライン）単位でプリチャージ／ディスチャージスイッチ１６に印加されているＶＡおよびＶＢが表示データ信号としてデータ線ＤＬに出力されるため、単色表示設定の期間は、全てのデータレジスタ１１、Ｄ／Ａコンバータ１２およびオペアンプ１４の動作を停止させることができ、減色表示設定の期間は、ＭＳＢ以外のデータレジスタ１１、Ｄ／Ａコンバータ１２およびオペアンプ１４の動作を停止させることができる。従って、これらによる消費電力を削減して、液晶表示装置１５０の消費電力を低減させることができる。
【０１０１】
【発明の効果】
請求項１記載の発明によれば、省電力表示モードにおいては、表示信号が外部入力されてから、各データ線に表示信号電圧を出力するまでに係る回路素子の動作が原則不要となる。このため、これらの回路素子の動作を停止させて、それらによる消費電力を削減することができ、表示駆動装置全体の消費電力を削減することができる。また、走査ライン毎に、ノーマル表示モードとするか省電力表示モードとするかを制御しているため、例えば、１つの画面の内、部分的に直接印加手段による制御を行うといったことが可能となる。更に、プリチャージやディスチャージを行う機構を有する場合には、このプリチャージ及びディスチャージを行う機構を直接印加手段として利用することができて、新たな構成を付加することなく省電力表示モードを実現することができる。
【０１０２】
請求項２記載の発明によれば、直接印加手段は、データ線への表示信号の最大電圧又は最小電圧の印加を、各データ線毎に設けられた第１の接続手段と第２の接続手段の切り替えという、比較的単純な制御によって実現することができる。
【０１０３】
請求項３記載の発明によれば、例えば、表示パネルにＲ（赤）を表示させる単色表示制御信号を生成して、この単色表示制御信号に基づいて、各色毎の表示画素に接続される複数のデータ線に対応する各接続手段を一括的に制御して、Ｒの表示画素を表示状態に設定することができるため、直接印加手段に係る回路構成を簡単化することができる。
【０１０４】
請求項４記載の発明によれば、外部入力される表示信号に基づく３原色のデジタルデータ毎の最上位ビットの値に従った減色表示を実現することができる。
【０１０６】
請求項５記載の発明によれば、フルカラーの表示（各画素の各階調に応じた表示）をする必要があるときにはノーマル表示モードによる駆動制御を行い、フルカラーで表示する必要のないとき（例えば、待ち受け時など）には省電力表示モードによる駆動制御を行うことができ、更に、ノーマル表示モードにおける各データ線のプリチャージ又はディスチャージを、直接印加手段を用いて行うことができる。そして、省電力表示モードにおいては、通常の信号経路に係る回路素子の駆動が原則不要となる。このため、省電力表示モードにおいて、表示装置全体の消費電力を削減することができる。
【０１０７】
請求項６記載の発明によれば、省電力表示モードにおいて、例えば、表示パネルにＲ（赤）を表示させる単色表示制御信号に基づいて、各色毎の表示画素に接続される複数のデータ線への表示信号電圧の印加を一括的に制御することができるため、駆動制御を簡単化することができる。
【０１０８】
請求項７記載の発明によれば、第２の手順において、外部入力される表示信号に基づく３原色のデジタルデータ毎の最上位ビットの値に従った減色表示が可能となる。
【図面の簡単な説明】
【図１】第１の実施の形態における液晶駆動装置を示したブロック図。
【図２】ＴＦＴ−ＬＣＤにおける液晶画素の等価回路。
【図３】第１の実施の形態におけるソースドライバの一例動作を示したタイミングチャート図。
【図４】第１の実施の形態における液晶表示パネルの表示状態の一例を示した図。
【図５】第２の実施の形態における液晶駆動装置を示したブロック図。
【図６】第２の実施の形態におけるソースドライバの一例動作を示したタイミングチャート図。
【図７】第２の実施の形態における液晶表示パネルの表示状態の一例を示した図。
【図８】第３の実施の形態における液晶駆動装置を示したブロック図。
【図９】第３の実施の形態におけるソースドライバの一例動作を示したタイミングチャート図。
【図１０】第３の実施の形態における液晶表示パネルの表示状態の一例を示した図。
【図１１】第４の実施の形態における液晶駆動装置を示したブロック図。
【図１２】第４の実施の形態におけるソースドライバの一例動作を示したタイミングチャート図。
【図１３】第４の実施の形態における液晶表示パネルの表示状態の一例を示した図。
【図１４】第５の実施の形態における液晶駆動装置を示したブロック図。
【図１５】第５の実施の形態における液晶表示パネルの表示状態の一例を示した図。
【符号の説明】
１１０      液晶駆動装置
１        ソースドライバ
１１      データレジスタ
１２      Ｄ／Ａコンバータ
１３      出力バッファ
１４      オペアンプ
１５      ＯＥスイッチ
１６      プリチャージ／ディスチャージスイッチ
１７      ソースドライバ制御回路
２        ゲートドライバ
３        ＲＡＭ
２００      液晶表示パネル
【図１】
0003882593.tif 000002
【図２】
0003882593.tif 000003
【図３】
0003882593.tif 000004
【図４】
0003882593.tif 000005
【図５】
0003882593.tif 000006
【図６】
0003882593.tif 000007
【図７】
0003882593.tif 000008
【図８】
0003882593.tif 000009
【図９】
0003882593.tif 000010
【図１０】
0003882593.tif 000011
【図１１】
0003882593.tif 000012
【図１２】
0003882593.tif 000013
【図１３】
0003882593.tif 000014
【図１４】
0003882593.tif 000015
【図１５】
0003882593.tif 000016